(57)【要約】【課題】尾根型(ridge)の夾角の角度を調整することができ、操作を簡素化可能であり、操作の安定性を向上し、必要に応じて平面に戻って（尾根型の夾角の角度を180度に調整する）マッサージを行うことができ、マッサージ可能な部位が制限されることを避ける尾根型マッサージ装置を提供する。【解決手段】ベースは、軸部と、軸部から径方向に沿って延伸し第１マッサージ面１２１を有する本体１２０とを有する。揺動部材２００は、回転部２１０によってベースの軸部に枢設されており、第２マッサージ面２０１を有する。制御ユニット３００は、円形ノブ形態を呈し、制御ユニット３００の一端が露出するようベースの軸部内に取り付けられている。駆動部材４００は、電気制御モーターである。マッサージユニット５００は、複数のスクロールホイール５１０を有する。【選択図】図２
0003191878.tif 000002
【実用新案登録請求の範囲】
【請求項１】
軸部を有するベースと、
前記ベースの前記軸部に枢設されており、前記ベースとの間の角度が調整可能である揺動部材と、
前記揺動部材及び前記ベースにそれぞれ取り付けられている２つの駆動部材と、
一部が露出するよう、前記揺動部材及び前記ベースの互いに対応する位置にそれぞれ取り付けられており、１つの前記駆動部材によって駆動される２つのマッサージユニットと、を備えることを特徴とする尾根型マッサージ装置。
【請求項２】
前記揺動部材と前記ベースとの間の調整可能な角度は９０度〜１８０度であることを特徴とする請求項１に記載の尾根型マッサージ装置。
【請求項３】
前記軸部と前記揺動部材との間に設けられており、角度を調整する角度決め装置をさらに備えることを特徴とする請求項１に記載の尾根型マッサージ装置。
【請求項４】
前記角度決め装置は、
前記軸部に形成されている複数の位置決め溝と、
前記位置決め溝に対応し前記揺動部材に形成されている作動溝と、
前記作動溝内に収納されている復位スプリングと、
前記復位スプリングに押し付けられるよう前記作動溝内に収納されており、一部が前記位置決め溝に嵌め込まれている位置決めビーズと、を有することを特徴とする請求項３に記載の尾根型マッサージ装置。
【請求項５】
軸部を有し、当該軸部が回復力を有する係止部材を有し、当該係止部材が前記軸部内の軸方向に所定範囲内で変位可能であるベースと、
前記ベースの前記軸部に枢設されており、前記係止部材に対応する複数のリングギアが設けられており、前記回復力によって前記係止部材が前記リングギア内に嵌合されており、前記ベースとの間の角度が調整可能である揺動部材と、
一部が露出するよう前記ベースに取り付けられており、前記係止部材が前記リングギアから離れるよう、前記係止部材を押し動かして軸方向に変位させることが可能である制御ユニットと、
前記揺動部材及び前記ベースにそれぞれ取り付けられている２つの駆動部材と、
一部が露出するよう前記揺動部材及び前記ベースにそれぞれ取り付けられており、１つの前記駆動部材によって駆動される２つのマッサージユニットと、を備えることを特徴とする尾根型マッサージ装置。
【請求項６】
前記揺動部材と前記ベースとの間の調整可能な角度は９０度〜１８０度であることを特徴とする請求項５に記載の尾根型マッサージ装置。
【請求項７】
前記軸部と前記揺動部材との間に設けられており、角度を調整する角度決め装置をさらに備えることを特徴とする請求項５に記載の尾根型マッサージ装置。
【請求項８】
前記角度決め装置は、
前記軸部に形成されている複数位置決め溝と、
前記位置決め溝に対応し前記揺動部材に形成されている作動溝と、
前記作動溝内に収納されている復位スプリングと、
前記復位スプリングに押し付けられるよう前記作動溝内に収納されており、一部が前記位置決め溝に嵌め込まれている位置決めビーズと、を有することを特徴とする請求項７に記載の尾根型マッサージ装置。
【請求項９】
前記駆動部材はモーターであり、
前記マッサージユニットは複数のスクロールホイールであり、
前記モーターと前記スクロールホイールとの間に位置し、動力を伝達する連動装置をさらに備えることを特徴とする請求項７に記載の尾根型マッサージ装置。
【請求項１０】
前記揺動部材及び前記ベースにそれぞれ設けられており、前記駆動部材のオンオフを制御する２つのスイッチをさらに備えることを特徴とする請求項７に記載の尾根型マッサージ装置。
【考案の詳細な説明】
【技術分野】
【０００１】
本考案は、手持ちマッサージ装置に関し、特に調整した後の夾角の角度を固定できる尾根型(ridge)マッサージ装置に関する。
【背景技術】
【０００２】
現在、市販されている手持ちマッサージ装置は、ほとんどハンドルによってマッサージユニットを伸ばし駆動して、また片手による手持ち方式で体のワンショルダー、頸部又は手足のマッサージを行う。従来の製品のマッサージユニットは、一点又は一面に対するマッサージ方式であることが多いため、使用者の体の四肢又は頸部部位に対してマッサージを行うため、手持ちマッサージ装置の安定性を維持する必要がある。また、マッサージユニットが常に移動して体の四肢又は頸部を回る必要があるため、上記従来の手持ちマッサージ装置は操作上に不便であり、マッサージ効果も制限されている。
【０００３】
ほかに、体の四肢又は頸部部位を挟まるクリップ型マッサージ装置もある。従来のクリップ型マッサージ装置は、互いに挟み合う弾力を有する２つのマッサージユニットを用い、また上記２つのマッサージユニットにより体の四肢又は頸部を挟んでラップアラウンド式のマッサージを行う。このような改善された従来のクリップ型マッサージ装置は、以前の手持ちマッサージ装置の操作上の面倒を改善することができる。しかしながら、互いに挟み合う弾力に制限されるため、体の胴体部の平面に対してマッサージを行うことができない。
【考案の概要】
【考案が解決しようとする課題】
【０００４】
したがって、如何に引き締め操作の安定性や、マッサージ効果を改善し、マッサージ可能な領域を増加するかは、現在の手持ちマッサージ装置を改善する肝心なことになっただけでなく、業界で追求し続ける目標の１つでもある。
【０００５】
本考案は、尾根型の夾角の角度を調整することができ、操作を簡素化可能であり、操作の安定性を向上し、必要に応じて平面に戻って（尾根型の夾角の角度を180度に調整する）マッサージを行うことができ、マッサージ可能な部位が制限されることを避ける尾根型マッサージ装置を提供することを目的とする。
【課題を解決するための手段】
【０００６】
本考案の一態様による尾根型マッサージ装置は、ベース、揺動部材、２つの駆動部材及び２つのマッサージユニットを備える。ベースは軸部を有する。揺動部材はベースとの角度が調整可能にベースの軸部に枢設されている。２つの駆動部材は揺動部材及びベースにそれぞれ取り付けられている。２つのマッサージユニットは、一部が露出するよう揺動部材及びベースの互いに対応する位置にそれぞれ取り付けられている。各マッサージユニットは１つの駆動部材によって駆動される。
【０００７】
これによって、本考案による揺動部材とベースとは、必要に応じて９０度に近い角度を有する尾根型となり、効果的に四肢及び頸部をマッサージすることができる。本考案は、必要に応じて、揺動部材とベースとの間の角度を１８０度にし、装置を水平状態にすることで、体の胴体をマッサージすることができる。また、本考案の２つのマッサージユニットは、それぞれ異なる駆動部材によって駆動されるため、本考案の２つのマッサージユニットは、独立又は共同運動を選択してよく、或いは異なる速度、経路のマッサージ動作を行ってもよい。従って、本考案のマッサージ効果はもっと多様化である。
【０００８】
上記揺動部材とベースとの間の調整可能な夾角の角度は１８０度〜９０度である。上記軸部と揺動部材との間に、使用者が角度を調整するための角度決め装置をさらに設けてもよい。この角度決め装置は、複数の位置決め溝、作動溝、復位スプリング、及び位置決めビーズを有する。複数の位置決め溝は軸部に形成されており、作動溝は位置決め溝に対応して揺動部材に形成されている。復位スプリングは作動溝内に収納されており、位置決めビーズは作動溝内に収納され復位スプリングによって押し付けられて一部が位置決め溝に嵌め込まれている。これによって、所定角度を有する尾根型マッサージ装置の安定性を高めることができる。
【０００９】
本考案の他の態様による尾根型マッサージ装置は、ベース、揺動部材、制御ユニット、２つの駆動部材、及び２つのマッサージユニットを備える。ベースは軸部を有する。軸部は係止部材を有する。係止部材は回復力を有し、軸部内の軸方向に所定範囲内で変位する。揺動部材は、ベースとの角度が調整可能にベースの軸部に枢設されている。揺動部材には、係止部材に対応する複数のリングギアが設けられている。係止部材は、回復力によってリングギア内に嵌合される。制御ユニットは一部が露出するようベースに取り付けられており、係止部材が上記リングギアから離れるように、係止部材を押し動かして軸方向に変位させる。２つの駆動部材は揺動部材及びベースにそれぞれ取り付けられている。２つのマッサージユニットは一部が露出するように揺動部材及びベースにそれぞれ取り付けられており、駆動部材によって駆動される。
【００１０】
これにより、上記の機能を発揮できるだけでなく、制御ユニットを使用して係止部材と合わせて角度の安定性を維持することができる。
【００１１】
また、駆動部材はモーターであってもよい。マッサージユニットは複数のスクロールホイールである。モーターと複数のスクロールホイールとの間に位置して動力を伝達する連動装置をさらに備える。そして、揺動部材及びベースにそれぞれ設けられている２つのスイッチをさらに備える。２つのスイッチによって２つの駆動部材のオンオフを制御する。これにより、本考案の２つのマッサージユニットは、独立又は共同に運動することができ、より多樣化なマッサージ効果提供することができる。
【図面の簡単な説明】
【００１２】
【図１】本考案の一実施形態による尾根型マッサージ装置を示す斜視図である。
【図２】本考案の一実施形態による尾根型マッサージ装置を示す側面図である。
【図３】本考案の一実施形態による尾根型マッサージ装置の部分を示す断面図とその拡大図である。
【図４】本考案の一実施形態による尾根型マッサージ装置の角度調整を示す模式図である。
【図５】本考案の一実施形態による尾根型マッサージ装置の制御ユニット及び軸部を示す断面図である。
【図６】本考案の一実施形態による尾根型マッサージ装置の制御ユニットの押圧操作を示す断面図である。
【考案を実施するための形態】
【００１３】
図１〜図４を参照されたい。図１は本考案の一実施形態による尾根型マッサージ装置を示す斜視図である。図２は側面図である。図３は部分断面図及びその拡大図である。図４は角度調整を示す模式図である。上記図面は、本考案の各部位の構造の詳細を十分に説明できるべきである。本実施形態の尾根型マッサージ装置は、ベース１００、揺動部材２００、制御ユニット３００、２つの駆動部材４００、２つのマッサージユニット５００及び角度決め装置６００を備える。上記構成の詳しい特徴について、以下に説明する。
【００１４】
ベース１００は、軸部１１０と、軸部１１０から径方向に沿って延伸し第１マッサージ面１２１を有する本体１２０と、を有する。軸部１１０内には、復位スプリング１１２を有することで、軸方向に所定範囲内で変位する係止部材１１１が設けられている。係止部材１１１には複数の突起部１１３が形成されている。
【００１５】
揺動部材２００は、回転部２１０によってベース１００の軸部１１０に枢設されており、第２マッサージ面２０１を有する。揺動部材２００とベース１００の本体１２０を互いに対応させることで、第１マッサージ面１２１と第２マッサージ面２０１との間の夾角の角度を９０〜１８０度の間で自由に調整可能である。上記揺動部材２００の回転部２１０は、係止部材１１１の突起部１１３に対応して軸方向に複数のリングギア２１１が設けられている。係止部材１１１は、復位スプリング１１２の回復力によって押し付けられた時に上記リングギア２１１内に嵌合される。
【００１６】
制御ユニット３００は、円形ノブ形態を呈し、制御ユニット３００の一端が露出するようベース１００の軸部１１０内に取り付けられており、軸部１１０に対して軸方向に所定範囲内で変位かのうであり、変位により係止部材１１１を押し動かして軸方向に変位させ、突起部１１３を上記リングギア２１１から離れさせる。したがって、使用者は制御ユニット３００を使用して係止部材１１１と合わせて第１マッサージ面１２１と第２マッサージ面２０１との夾角の角度を安定的にロックすることができる。
【００１７】
２つの駆動部材４００は、電気制御モーターであり、２つの駆動部材４００は、揺動部材２００及びベース１００の中にそれぞれ取り付けられている。
【００１８】
２つのマッサージユニット５００は、複数のスクロールホイール５１０と、駆動部材４００及び複数のスクロールホイール５１０の間に位置して動力を伝達する連動装置５２０と、を有する。２つのマッサージユニット５００のスクロールホイール５１０は、露出するよう、揺動部材２００の第２マッサージ面２０１及びベース１００の第１マッサージ面１２１にそれぞれ取り付けられている。且つ各スクロールホイール５１０は、連動装置５２０を介して駆動部材４００によって駆動される。
【００１９】
使用者が角度を調整する時により安定的に操作するため、上記軸部１１０と揺動部材２００との間に、角度決め装置６００が設けられている。この角度決め装置６００は、異なる夾角の角度に対応する複数の位置決め溝６１０、作動溝６２０、復位スプリング６３０及び位置決めビーズ６４０を備える。複数の位置決め溝６１０は、等距離で軸部１１０の外表面に形成されている。作動溝６２０は、各位置決め溝６１０に対応して揺動部材２００に形成されている。復位スプリング６３０は、作動溝６２０内に収納されている。位置決めビーズ６４０は、作動溝６２０内に収納されており、復位スプリング６３０によって押し付けられ、一部が１つの位置決め溝６１０に嵌め込まれる。これによって、本考案の第１マッサージ面１２１と第２マッサージ面２０１との間の角度を９０度〜１８０度の間で調整する時、所定の角度の安定性を高めることができる。
【００２０】
また、揺動部材２００及びベース１００にそれぞれ装設されている２つのスイッチ１３０、２２０を備えてもよい。２つのスイッチ１３０、２２０は２つの駆動部材４００のオンオフを制御する。これによって、本考案の２つのマッサージユニット５００は、いずれかの駆動部材４００の独立運動又は２つの駆動部材４００の共同運動を選択することができ、より多樣化のマッサージ効果を得ることができる。
【００２１】
図５及び図６は、本実施形態の制御ユニット３００及び軸部１１０を示す部分断面図であり、制御ユニット３００の押圧操作を示す断面図である。使用者が本実施形態の尾根型マッサージ装置を用いてマッサージを行う場合、制御ユニット３００を押すと、制御ユニット３００は、軸部１１０に対して軸方向に変位して係止部材１１１を押し動かして軸方向に変位させる。これによって突起部１１３を上記リングギア２１１から離れさせる。角度の調整を行った後、使用者が制御ユニット３００を放すと、係止部材１１１が再び安定的に上記リングギア２１１内に嵌合されており、第１マッサージ面１２１と第２マッサージ面２０１とが所定角度の夾角を有する状態でロックされる。
【００２２】
例えば、体の腕部をマッサージしようとする場合、第１マッサージ面１２１と第２マッサージ面２０１との夾角の角度を小さく調整することができる（約９０度の尖った尾根形態）。第１マッサージ面１２１と第２マッサージ面２０１との間の夾角の角度は９０度に向かって小さく調整された後、第１マッサージ面１２１と第２マッサージ面２０１は、効果的に腕の両側の筋肉に挟まれ２つのマッサージユニット５００により自動化マッサージを行う。
【００２３】
さらに、例えば、体の大腿部をマッサージしようとする場合、使用者は制御ユニット３００を押して係止部材１１１の嵌合状態を解除し、第１マッサージ面１２１と第２マッサージ面２０１との夾角の角度を大きく調整することができる。第１マッサージ面１２１と第２マッサージ面２０１との間の夾角の角度を１２０度程度に調整する。この時、第１マッサージ面１２１と第２マッサージ面２０１とは、夾角の角度が大きく調整され（約１２０度の鈍角の尾根形態）、効果的に体の大腿の両側の筋肉部位を挟んで自動化マッサージを行う。
【００２４】
また、例えば、体の背部部位をマッサージしようとする場合、使用者は第１マッサージ面１２１と第２マッサージ面２０１との間の夾角の角度を１８０度程度に調整することができる。この時、第１マッサージ面１２１と第２マッサージ面２０１とは、夾角の角度が大きく調整され（約１８０度の水平に近い尾根形態）、体の背部の両側に当接し自動化マッサージを行うことができる。
【００２５】
上述の本考案の実施形態を適用する場合以下のメリットを有する。一、本実施形態における揺動部材２００とベース１００の本体１２０とは、互いに対応して異なる角度の尾根形状を呈することができて、第１マッサージ面１２１と第２マッサージ面２０１との間の夾角の角度を９０度〜１８０度の間で自由に調整可能である。これによって、効果的に体の各部位に適用され、単純なクリップ形状に限らない。二、制御ユニット３００を使用して係止部材１１１と合わせて第１マッサージ面１２１と第２マッサージ面２０１との夾角の角度を安定的にロックすることができる。また、角度決め装置６００は、調整後の角度をより安定させる。三、本考案における２つのマッサージユニット５００は、一部が露出するよう揺動部材２００の第２マッサージ面２０１及びベース１００の第１マッサージ面１２１に取り付けられている。各スクロールホイール５１０は、連動装置５２０を介して独立な駆動部材４００によって駆動される。したがって、本考案における２つのマッサージユニット５００は、独立又は共同運動を選択でき、又はより多樣化なマッサージ効果に達する。
【００２６】
本考案の実施形態を前述の通り説明したが、これは、本考案を限定するものではなく、当業者なら誰でも、本考案の精神と範囲内で、多様の変更または修正を加えることができる。したがって、本考案の保護範囲は、実用新案登録請求の範囲で指定した内容を基準とする。
【符号の説明】
【００２７】
１００  ベース、
１１０  軸部、
１１１  係止部材、
１１２  復位スプリング、
１１３  突起部、
１２０  本体、
１２１  第１マッサージ面、
１３０  スイッチ、
２００  揺動部材、
２０１  第２マッサージ面、
２１０  回転部、
２１１  リングギア、
２２０  スイッチ、
３００  制御ユニット、
４００  駆動部材、
５００  マッサージユニット、
５１０  スクロールホイール、
５２０  連動装置、
６００  角度決め装置、
６１０  位置決め溝、
６２０  作動溝、
６３０  復位スプリング、
６４０  位置決めビーズ。
【図１】
0003191878.tif 000003
【図２】
0003191878.tif 000004
【図３】
0003191878.tif 000005
【図４】
0003191878.tif 000006
【図５】
0003191878.tif 000007
【図６】
0003191878.tif 000008